(57)【要約】      （修正有）【課題】足の甲まで履き口の広がったフットカバーの履き口周縁に、編み機によりゴム糸を挿入、又は添え糸する方法の提供。【解決手段】５本胴部１２の最終コースのループを前後のニードルベッドの編針に周回状に掛止した状態で、５本胴部の最終コースの甲側中央部１２ａを除いた有端環状部１２ｂのループを掛止した有端環状の針列に給糸し、以後前記有端環状の針列の両端で給糸方向を折り返すように、かつ、給糸方向を折り返す度に、前記有端環状の針列の端から給糸する編針を一又は複数針減らすとともに、前記有端環状の針列へ一往復給糸する度に、前記有端環状の針列の左右の同じ側の渡り部に給糸する編針を一又は複数針追加しながらフット部２を編成するフットカバー１００の編成方法。【選択図】図１
2018111899.tif 000002
【特許請求の範囲】
【請求項１】
前端側のつま先部と、後端側の踵部と、前記つま先部、及び前記踵部の間のフット部と、前記フット部から前記踵部に跨って甲側に開口する履き口とを備え、前記つま先部が、後端縁に甲側から足底側に亘って周回状に編成された５本胴部を有し、前記踵部が、両側に一又は複数本ずつのゴアラインを有するフットカバーを、前後のニードルベッドが左右方向に相対的にラッキング可能に、かつ前後のニードルベッドの編針間で互いに目移し可能な横編み機を用いて編成するフットカバーの編成方法であって、
前後のニードルベッドの編針に周回状に編糸を給糸して、５本胴部を編成する５本胴部編成工程と、
前記５本胴部編成工程に続けて、５本胴部の最終コースのループを前後のニードルベッドの編針に周回状に掛止した状態で、前記５本胴部の最終コースの甲側中央部を除いた有端環状部のループを掛止した有端環状の針列に給糸し、以後前記有端環状の針列の両端で給糸方向を折り返すように、かつ、給糸方向を折り返す度に、前記有端環状の針列の端から給糸する編針を一又は複数針減らすとともに、前記有端環状の針列へ一往復給糸する度に、前記有端環状の針列の左右の同じ側の渡り部に給糸する編針を一又は複数針追加しながら前記フット部を編成するフット部編成工程と、
前記フット部編成工程よりあとに、両側に一又は複数本ずつのゴアラインを設けながら踵部を編成する踵部編成工程と、
前記踵部編成工程の後、編針に掛止されたままループの残っている編針に、周回状に編糸を給糸して履き口周縁部を編成する履き口周縁部編成工程と
を有することを特徴とするフットカバーの編成方法。
【請求項２】
前記フット部編成工程は、前記有端環状の針列の両端が、共に前後のニードルベッドの一方のニードルベッドに存する状態で開始され、前後のニードルベッドに別れたあとも継続される請求項１に記載のフットカバーの編成方法。
【請求項３】
前記フット部編成工程の途中で、前記フット部編成工程と前記踵部編成工程の間で、又は前記踵部編成工程の途中で、給糸されたまま編針にループの残っている全編針に周回状に編糸を給糸して中間周回部を編成する中間周回部編成工程を有する請求項１又は請求項２に記載のフットカバーの編成方法。
【請求項４】
前記フット部編成工程において、前記渡り部に給糸する編針を一又は複数針追加するに先駆けて、当該追加する編針に隣接する編針からループを目移しする請求項１から請求項３のいずれか１項に記載のフットカバーの編成方法。
【請求項５】
前端側のつま先部と、後端側の踵部と、前記つま先部、及び前記踵部の間のフット部と、前記フット部から前記踵部に跨って甲側に開口する履き口と、編糸が横編み機の前後のニードルベッドを渡った跡からなる１対の側線とを備え、前記つま先部が、後端縁に甲側から足底側に亘って周回状に編成された５本胴部を有し、前記踵部が、両側に一又は複数本ずつのゴアラインを有するフットカバーであって、
前記フット部は、前記５本胴部の甲側中央部を除いた有端環状部に連続するとともに、編糸が前記履き口をかわすようにコース方向の両端部で折り返す有端環状の編成組織を有し、当該両端部のループが、後側のコースほど前記履き口から遠ざかる方向のウエールに形成され、少なくとも一部のコースが、透孔、及び／又は増し目を有しており、
前記履き口の周縁に、編糸が周回状に編成された履き口周縁部を備えることを特徴とするフットカバー。
【請求項６】
前記１対の側線の一方が前記フット部のコース方向の両端部と交差し、前記一対の側線の他方の側線が前記フット部の後端縁と交差する請求項５に記載のフットカバー。
【請求項７】
前記透孔が、ライン状に並ぶ請求項５又は請求項６に記載のフットカバー。
【請求項８】
前記履き口周縁部は、ゴム糸が挿入、及び／又は添え糸されている請求項５から請求項７のいずれか１項に記載のフットカバー。
【請求項９】
前記踵部は、左右のゴアラインでコース方向に折り返しながら、ゴム糸が挿入、及び／又は添え糸された締付部を備える請求項５から請求項８のいずれか１項に記載のフットカバー。
【発明の詳細な説明】
【技術分野】
【０００１】
この発明は、パンプスやスニーカーの内側に隠れるように着用されるフットカバーに関し、特に、踵から足の甲の前端にまで亘る広い履き口を備えたフットカバーに関する。
【背景技術】
【０００２】
従来、踵部から足の甲の前端にまで亘る広い履き口を備えたフットカバーを横編機で編成する場合、例えば、特許文献１のように、履き口のつま先側に隣接する５本胴部（特許文献１では、「つま先側甲部分」）を周回状に編成した後、５本胴部の甲側中央部のループを編針から外し、それ以外の編針に掛止されているループに続けて足の裏から左右の側方部分を、コース方向の両端で折り返すいわゆるＣ編により編成している。
【０００３】
ところが、特許文献１のような編成方法で履き口を編成すると、履き口が完成した際には、履き口の後側周縁しか編針に掛止されていないため、履き口周縁を周回状に編成することができず、従って、履き口周縁にゴム糸を挿入したり、ゴム糸を編み込んだりできないという問題が有る。
【０００４】
そのため、特許文献１のフットカバーでは、フットカバーの編成が終了したのち、やむなく、履き口（特許文献１では、「開口部分」）周縁に、解れ止めのリンキングを行う際に細幅のポリウレタンテープを添接することで、履き口周縁に収縮力を付与している。
【先行技術文献】
【特許文献】
【０００５】
【特許文献１】特開平９−５９８０３号公報
【発明の概要】
【発明が解決しようとする課題】
【０００６】
しかし、特許文献１の編成方法では、このリンキング作業に手間がかかるため製作コストが嵩むという問題が有る。
本発明は、上記課題に鑑みてなされたものであり、フット部から踵部まで跨った広い履き口の周縁部を横編み機で周回状に編成する方法、及び広い履き口の周縁に周回状の編成組織を備えたフットカバーの提供を目的とする。
【課題を解決するための手段】
【０００７】
上記課題を解決するためになされた発明は、前端側のつま先部と、後端側の踵部と、前記つま先部、及び前記踵部の間のフット部と、前記フット部から前記踵部に跨って甲側に開口する履き口とを備え、前記つま先部が、後端縁に甲側から足底側に亘って周回状に編成された５本胴部を有し、前記踵部が、両側に一又は複数本ずつのゴアラインを有するフットカバーを、前後のニードルベッドが左右方向に相対的にラッキング可能に、かつ前後のニードルベッドの編針間で互いに目移し可能な横編み機を用いて編成するフットカバーの編成方法である。
本発明の編成方法は、前後のニードルベッドの編針に周回状に編糸を給糸して、５本胴部を編成する５本胴部編成工程と、前記５本胴部編成工程に続けて、５本胴部の最終コースのループを前後のニードルベッドの編針に周回状に掛止した状態で、前記５本胴部の最終コースの甲側中央部を除いた有端環状部のループを掛止した有端環状の針列に給糸し、以後前記有端環状の針列の両端で給糸方向を折り返すように、かつ、給糸方向を折り返す度に、前記有端環状の針列の端から給糸する編針を一又は複数針減らすとともに、前記有端環状の針列へ一往復給糸する度に、前記有端環状の針列の左右の同じ側の渡り部に給糸する編針を一又は複数針追加しながら前記フット部を編成するフット部編成工程と、前記フット部編成工程よりあとに、両側に一又は複数本ずつのゴアラインを設けながら踵部を編成する踵部編成工程と、前記踵部編成工程の後、編針に掛止されたままループの残っている編針に、周回状に編糸を給糸して履き口周縁部を編成する履き口周縁部編成工程とを有することを特徴とする。
ここで、「有端環状」とは、図１５乃至図１７に１点鎖線で示すようなＣ字状、Ｊ字状（逆Ｊ字状も含む）、又はＵ字状をいうものとする。また、「有端環状の針列の端」とは、例えば、図１５（ａ）のＣ字状の針列では、前側ニードルベッドＦの編針ｆ（以後、「前側の編針ｆ」のようにいう。）と前側の編針ｗをいい、図１６（ａ）のＪ字状の針列では、後側の編針ａと、前側の編針ａｃをいい、図１７（ａ）のＵ字状の編針では、前側の編針ａと後側の編針ａをいう。また、「左右の同じ側の渡り部」とは、給糸を行う有端環状の針列の左右の一方にしか渡り部が無い場合は、その一方の渡り部をいうものとする。
【０００８】
本発明は、このように、フット部編成工程を、５本胴部の最終コースのループを前後のニードルベッドの編針に周回状に掛止した状態で、５本胴部の最終コースの甲側中央部を除いた有端環状部のループを掛止した編針に有端環状に給糸を開始するので、５本胴部のフット部に連結されない甲側中央部のループを編針に掛止したままにできる。
また、フット部編成工程において、給糸方向を折り返す度に、前記有端環状の針列の両端から徐々に給糸する編針を減らすように編成したので、フット部の各コースの両端のループも、全て編針に掛止したままにすることができる。
従って、履き口周縁部を編成する際には、５本胴部の甲側中央部のループと、フット部の両端のループが、前後のニードルベッドの編針に掛止された状態となっているため、これらのループに続けて履き口周縁部を周回状に編成することができる。
【０００９】
また、上述したように、前後のニードルベッドの給糸を行う有端環状の針列の渡り部に給糸する編針を一又は複数針追加することで、有端環状の針列の端部で給糸する編針を減らしたことにより減少する編目数を補うことができ、フット部が浅くなることを防止できる。この際、左右の同じ側の渡り部に給糸する編針を追加することで、履き口が広がることを抑制できる。
【００１０】
さらに、踵部にゴアラインを設けたことで、５本胴部の甲側中央部と、フット部のコース方向の両端部と、踵部の後端縁を履き口の周縁に沿って並べることができ、これらに連続して、履き口周縁部を履き口に沿う形状に編成することができる。
【００１１】
前記フット部編成工程は、前記有端環状の針列の両端が、共に前後のニードルベッドの一方のニードルベッドに存する状態で開始され、前後のニードルベッドに別れたあとも継続されることが好ましい。こうすることで、５本の指袋を備えたフットカバーのように一方のニードルベッドで甲側を編成し、他方のニードルベッドで足底側を編成するフットカバーに広い履き口を設ける場合であっても、履き口周縁部を周回状に編成することができる。
【００１２】
前記フット部編成工程の途中で、前記フット部編成工程と前記踵部編成工程の間で、又は前記踵部編成工程の途中で、給糸されたまま編針にループの残っている全編針に周回状に編糸を給糸して中間周回部を編成する中間周回部編成工程を有することが好ましい。こうすることで、編針に掛止されたままになっている５本胴部の甲側中央部のループや、フット部のコース方向両端のループを編針から外すことができ、これらのループが長時間編針に掛止されることにより痛むことを抑制できる。
【００１３】
前記フット部編成工程において、前記渡り部に給糸する編針を一又は複数針追加するに先駆けて、当該追加する編針に隣接する編針からループを目移しすることが好ましい。こうすることで編針を追加した位置に生じる透孔を、他の場所に移動したり、増し目を行って透孔を埋めたりできる。
【００１４】
本発明は、前端側のつま先部と、後端側の踵部と、前記つま先部、及び前記踵部の間のフット部と、前記フット部から前記踵部に跨って甲側に開口する履き口と、編糸が横編み機の前後のニードルベッドを渡った跡からなる１対の側線とを備え、前記つま先部が、後端縁に甲側から足底側に亘って周回状に編成された５本胴部を有し、前記踵部が、両側に一又は複数本ずつのゴアラインを有し、前記フット部は、前記５本胴部の甲側中央部を除いた有端環状部に連続するとともに、編糸が前記履き口をかわすようにコース方向の両端で折り返す有端環状の編成組織を有し、当該両端のループが、後側のコースほど前記履き口から遠ざかる方向のウエールに形成され、少なくとも一部のコースが、透孔、及び／又は増し目を有しており、前記履き口の周縁に、編糸が周回状に編成された履き口周縁部を備えることを特徴とするフットカバーを含む。
尚、ここで、「コース方向」とは、編糸が延びる方向をいい、「ウエール」とは、コース方向に垂直に編目が並んだ列をいうものとする。
【００１５】
前記１対の側線の一方が前記フット部のコース方向の両端部と交差し、前記一対の側線の他方の側線が前記フット部の後端縁と交差することが好ましい。フット部編成工程を、有端環状の針列の両端が、共に前後のニードルベッドの一方のニードルベッドに存する状態で開始し、前後のニードルベッドに別れたあとも継続することで、このような側線を形成することができる。これにより、フットカバーの意匠性を高めることができる。
【００１６】
前記透孔は、ライン状に並ぶことが好ましい。こうすることで、フットカバーの意匠性を高めることができる。
【００１７】
前記履き口周縁部は、ゴム糸が挿入、及び／又は添え糸されていることが好ましい。こうすることで、フットカバーを脱げにくくすることができる。
【００１８】
前記踵部は、左右のゴアラインでコース方向に折り返しながら、ゴム糸が挿入、及び／又は添え糸された締付部を備えることが好ましい。こうすることで、さらにフットカバーを脱げにくくすることができる。
【発明の効果】
【００１９】
以上、説明したように、本発明のフットカバーの編成方法によれば、履き口がフット部から踵部の甲側に跨るほど広いフットカバーであっても、履き口周縁部を横編み機で周回状に編成することができる。
【図面の簡単な説明】
【００２０】
【図１】本発明の第１実施形態に係るフットカバーの斜視図である。
【図２】図１に示したフットカバーを甲側から見た平面図である。
【図３】図１に示したフットカバーを足底側から見た底面図である。
【図４】フット部２のコース方向の端部周辺における編組織の模式図である。
【図５】増し目の編組織の一例を示す模式図である。
【図６】第１実施形態に係るフットカバーの５本胴部編成工程とフット部編成工程の編成図である。
【図７】図６に続くフット部編成工程の編成図である。
【図８】図７に続くフット部編成工程の編成図である。
【図９】図８に続くフット部の編成工程編成図である。
【図１０】フット部の最終コースと中間周回部の編成工程を示した編成図である。
【図１１】図１０に続く踵部編成工程の膨出部下側部の編成図である。
【図１２】図１１に続く踵部編成工程のゴム無し部の編成図である。
【図１３】図１２に続く踵部編成工程のフットカバーの締付部の編成図である。
【図１４】図１３に続く締付部と、履き口周縁部の編成図である。
【図１５】小工程Ｓ２０１において、編糸が有端環状（Ｃ字状）に給糸される様子を示した説明図である。
【図１６】小工程Ｓ２１３において、編糸が有端環状（Ｊ字状）に給糸される様子を示した説明図である。
【図１７】編糸が、有端環状（Ｕ字状）に給糸される様子を示した説明図である。
【図１８】本発明の第２実施形態に係るフットカバーの斜視図である。
【図１９】本発明の第３実施形態に係るフットカバーの斜視図である。
【図２０】本発明の第４実施形態に係るフットカバーの斜視図である。
【発明を実施するための形態】
【００２１】
以下、適宜図面を用いながら本発明の実施形態について詳述する。以下の説明において、フットカバーのつま先側を前側、踵側を後側といい、履き口側を上側、足底側を下側というものとする。ただし、本発明は以下の実施形態に限られるものではない。
【００２２】
（第１実施形態）
図１は、本発明の第１実施形態に係るフットカバー１００を示している。フットカバー１００は、図１に示すように、つま先部１と、フット部２と、踵部３と、中間周回部４と、履き口５と、履き口周縁部６と備えている。本実施形態では、踵部３は、膨出部を１つしか備えず、踵部３全体が１つの膨出部のみからなるため、踵部３を膨出部３ともいうものとする。膨出部３は、膨出部下側部３１と膨出部上側部３２とを備え、膨出部上側部３２は、ゴム無し部３３と締付部３４とを有している。
また、フットカバー１００は、左右一対の側線７１，７２を備えている。以下の説明において、図２に示した範囲を甲側８といい、図３に示した範囲を足底側９というものとする。
【００２３】
フットカバー１００は、全体を通して、表糸に綿糸を、裏糸にポリウレタン糸を芯糸としてナイロン糸等でカバリングしたシングルカバリングヤーン（以下、「ＳＣＹ」ともいう。）を添えて編成されている。履き口周縁部６と締付部３４においては、さらにウレタン糸を芯糸としてナイロン糸やポリエステル糸等でカバリングしたダブルカバリングヤーン（以下、「ゴム糸」ともいう。）が挿入されている。ゴム糸は、添え糸編により、履き口周縁部６や締付部３４に編み込んでもよい。
【００２４】
つま先部１は、図１に示すように、指収容部１１と５本胴部１２とを有している。指収容部１１は、それぞれ天竺編に編成された５つの指袋１１ａ，１１ａ，…を有している。５本胴部１２は、つま先部１の後側の端縁に設けられ、５本の指をまとめるように足の甲から足底側にかけて編糸が周回するように編成されている。５本胴部１２は、指収容部１１の後側にすぐ連続して編成してもよいし、指収容部１１との間に、指３本分をまとめて周回編する３本胴部（不図示）や、指４本分をまとめて周回編する４本胴部（不図示）を設けた後に編成してもよい。
【００２５】
フット部２は、５本胴部の最も後側のコースＣ１（図１では、符号１２１で示す）のうち中間周回部４の前側部分４１に編み合わされる甲側中央部１２ａ以外の有端環状部１２ｂの後方に連続して編成されている。フット部２は、履き口５を設けるために、コース方向の両端部２ａ，２ａで編糸を折り返すようにして編成されている。フット部２のコース方向の端部２ａにおけるループ２ｂは、図４に示すように、編糸がコース方向に１往復する度に、履き口５から遠ざかる方向に１ウエールずつ移動している。
【００２６】
例えば、コースＣ２のコース方向の端部２ａのループ２ｂは、ウエールＷに位置するのに対し、次のコースＣ３のコース方向の端部２ａのループ２ｂは、ウエールＷより１ウエールだけ履き口５から遠ざかるウエールＸに位置している。また、コースＣ２４の端部２ａのループ２ｂは、ウエールＡＳに位置するのに対し、コースＣ２４に続くコースＣ２５のコース方向の端部２ａにおけるループ２ｂは、コースＣ２４のループ２ｂより１ウエール履き口５から遠いウエールＡＴに位置している。
尚、本実施形態では、端部２ａにおけるループ２ｂはタックループであるが、ニットループにすることもできる。
また、フット部２は、透孔２ｃがライン状に並んだ、左右１本ずつのメッシュライン２１を備えている。
【００２７】
中間周回部４は、図１に示すように、前側部分４１と、左右一対の側方部分４２，４２と、後側部分４３とからなる。前側部分４１は、履き口５の前側（図２の下側）で甲側８を通り、５本胴部１１の甲側中央部１２ａに連結する。側方部分４２は、履き口５の側方を通り、フット部２のコース方向の端部２ａに編み合わされる。後側部分４３は、足底側９を横断して左右一対の側方部分の後端を連結する。本実施形態では、後側部分４３は、フット部２の後端縁２ｄに編み合わされる。
【００２８】
踵部３は、本実施形態では、１つの膨出部３のみからなる。膨出部３は、膨出部下側部３１と、膨出部上側部３２とを備えている。膨出部下側部３１は、編糸がコース方向の両端で折り返すよう天竺編に編成され、ウエール方向の後側に向かって徐々にコース方向の編み幅が減少する。膨出部上側部３２は、膨出部下側部３１の後方に連続し、編糸がコース方向の両端で折り返すように天竺編に編成され、ウエール方向の後側に向かって、コース方向の編み幅が拡大する。膨出部上側部３２の両端は、膨出部下側部３１の両端に編み合わされており、膨出部上側部と膨出部下側部を編み合わせることにより、膨出部３に左右一対のゴアライン３５，３５が形成される。即ち、左右一対のゴアライン３５，３５が、膨出部下側部３１と膨出部上側部３２の両端を構成する。尚、符号３５ａは、ゴアラインの始端を示し、符号３５ｂはゴアラインの終端を示している。
【００２９】
膨出部上側部３２は、つま先側（ウエール方向前側）となるゴム無し部３３と、履き口５側（ウエール方向後側）の複数コースからなる締付部３４とを有している。
ゴム無し部３３は、綿糸とＳＣＹのみで天竺編に編成され、締付部３４は、綿糸にＳＣＹを添えて編成された天竺編の地組織に、ゴム糸がコース方向の両端となるゴアライン３５，３５で折り返しながら挿入されている。締付部３４は、履き口周縁部６に沿って、略Ｃ字状に設けられ、親指側（図１の奥側）の端部３４ｂが他方の側線７２よりも前側に設けられている。
このように、踵部３に締付部３４を設けることで、後述する履き口周縁部６にのみゴム糸を挿入する場合に比べて、フットカバー１００をより脱げにくくすることができる。
【００３０】
履き口周縁部６は、先端縁が履き口５を構成するリブ編部６１と、リブ編部６１の基端縁に連続する天竺編部６２とを有している。天竺編部６２は、前縁部６２ａが中間周回部４の前側部分４１、及び側方部分４２に編み合わされ、後縁部６２ｂが締付部３４に編み合わされるようにして周回状に編成されている。天竺編部６２では、天竺編組織にゴム糸が挿入され、リブ編部６１では、リブ編組織にゴム糸が挿入されている。
このように、フットカバー１００では、履き口周縁部６に周回状にゴム糸が挿入されるため、フットカバー１００が脱げにくい。
【００３１】
図１に示すように、左右一対の側線７１，７２のうち、小指側の側線７１は、小指用の指袋１１ａの側方の始点７１ａから後方へ延出し、後端側が上方へ折れ曲がって中間周回部４の側方部分４２と交差し、リブ編部６１の先端縁に終点７１ｂが設けられている。これに対し、親指側の側線７２は、親指用の指袋１１ａの側方の始点７２ａから後方へ延出し、中間周回部４の後側部分４３と交差し、後端側が後側部分４３よりも後方で上方へ折れ曲がって、ゴアライン３５と交差し、リブ編部６１の先端縁に終点７２ｂが設けられている。終点７２ｂは終点７１ｂよりも後方に位置する。
【００３２】
次に、フットカバー１００の編成方法について説明する。フットカバー１００は、前後のニードルベッドが、編針の並ぶ左右方向に相対的にラッキング可能に、かつ前後のニードルベッドの編針間で互いに目移し可能な横編み機を用いて編成する。フットカバー１００は、全体に渡って、表糸としてキャリアＦ１（不図示）から綿糸を給糸し、裏糸としてキャリアＦ２（不図示）からＳＣＹを給糸して、添え糸編に編成する。履き口周縁部６、及び締付部３４では、綿糸とＳＣＹで編成した地組織に、ゴム糸キャリアＧから給紙したゴム糸が挿入される。以下、キャリアＦ１とキャリアＦ２との組み合わせを、キャリア組Ａといい、綿糸にＳＣＹを添え糸したものを地糸という。
【００３３】
フットカバー１００は、５本胴部編成工程Ｓ１（Ｓ１０１）と、フット部編成工程Ｓ２（Ｓ２０１〜Ｓ２４８）と、中間周回部編成工程Ｓ３（Ｓ３０１）と、踵部編成工程Ｓ４（Ｓ４０１〜Ｓ４１９）と、履き口周縁部編成工程Ｓ５（Ｓ５０１〜Ｓ５０８）を順に実施することにより編成される。
【００３４】
（５本胴部編成工程Ｓ１）
５本胴部編成工程Ｓ１（以下単に「工程Ｓ１」ともいう。他の工程についても同じ。）は、つま先部１の後端の５本胴部１２を編成する工程である。５本胴部１２は、つま先部１の指収容部１１に続けて編成され、前後のニードルベッドに周回状に編糸を給糸して編成される。図６では、５本胴部の最後尾のコースＣ１を編成する小工程Ｓ１０１のみを示している。
尚、図６〜図１４の編成図において、進行方向の欄の→はキャリッジの右行を、←はキャリッジの左行を示し、符号ａ〜ａｌは、編針を示し、〇は地糸によるニットループを、△は地糸によるタックループを、▲はゴム糸によるタックループを、━はミスループを、◎は、目移しした後のニットループを示し、□は、空針を示している。
また、編成方法の欄の←と→は、左右に１ピッチ（１針）だけループを移動させることを示し、↑は、前側ニードルベッドＦの編針から後側ニードルベッドＢの編針に目移しすることを示している。各編成図は、下の工程から順に実施される。
【００３５】
小工程Ｓ１０１では、キャリッジを左行させて前側ニードルベッドＦの編針ａｂから編針ａまでの全針に給糸を行ったのち、キャリッジを折り返して右行させ、後側ニードルベッドＢの編針ａから編針ａｂまでの全針に給糸を行って、足の甲から足底側に亘る周回状の天竺編組織を編成する。
【００３６】
（フット部編成工程Ｓ２）
フット部編成工程Ｓ２は、小工程Ｓ１０１で編成した５本胴部１２の最後尾のコースＣ１の甲側中央部１２ａのループを編針に掛止したまま、この甲側中央部１２ａを除いた有端環状部１２ｂに続けて、いわゆるＣ編によりフット部２を編成する。工程Ｓ２は、キャリア組Ａのみを用いて、地糸のみによる編成がおこなわれる。工程Ｓ２では、小工程Ｓ２０１から小工程Ｓ２４８によりコースＣ２からコースＣ２５を編成する。
尚、フット部２、及び踵部３では、編糸のコース方向の１往復分を１コースというものとする。
【００３７】
工程Ｓ２の最初の小工程Ｓ２０１は、図１５に示すように、前側ニードルベッドの編針ｗ〜編針ａｂと、後側ニードルベッドの編針ａｂ〜編針ａと、前側ニードルベッドの編針ａ〜編針ｆとからなる有端環状（Ｃ字状）に並んだ針列に、右回り、又は左回りに周回状に給糸し、両端の編針ｆ、及び編針ｗで、周回方向を変えながら給糸して編成を行う。
【００３８】
詳細には、小工程Ｓ２０１は、図６に示すように、まず、キャリッジを左行させて、前側ニードルベッドＦの編針ａｂから編針ｘまでニットループ（○）を形成したのち、キャリッジを折返して右行させ、前側ニードルベッドＦの編針ｗでタックループ（△）を形成し、編針ｘから編針ａｂまでニットループ（○）を形成する。次に、キャリッジを左行させ、後側ニードルベッドＢの編針ａｂから編針ａまでの全針でニットループ（○）を形成し、続けて、キャリッジを右行させて前側ニードルベッドの編針ａから編針ｅまでニットループ（○）を形成したのち、キャリッジを折り返して左行させ、前側ニードルベッドの編針ｆでタックループ（△）を形成し、編針ｅから編針ａまでニットループ（○）を形成する。最後に、キャリッジを右行させて、後側ニードルベッドＢの編針ａから編針ａｂまで全針にニットループ（○）を形成する。
【００３９】
小工程Ｓ２０２では、後述する小工程Ｓ２０３で、渡り部Ｄに給糸する編針を、前後のニードルベッドで１針ずつ（前後の編針ａｃ，ａｃ）を追加するに先駆けて、この給糸を追加する編針ａｃ，ａｃに隣接する前後の編針ａｂ，ａｂからループを目移しする。
本実施形態では、図６に示すように、前後の編針ａｂ，ａｂだけでなく、ループを掛止した有端環状（Ｃ字状）の針列の両端から３針の編針（前側ニードルベッドの編針ｄ，ｅ，ｆ、及び編針ｗ，ｘ，ｙ）を除いた全ての編針を、有端環状の針列の両端の編針ｆと編針ｗから遠ざかる方の隣の編針へ目移しする。詳細には、まず、前側の編針ｚ，ａａ，ａｂを、それぞれ右隣の編針ａａ，ａｂ，ａｃに目移しし、次に、後側ニードルベッドＢの編針ａ〜ａｂに掛止されたループをすべて右隣の編針ｂ〜ａｃに目移しする。続けて前側ニードルベッドＦの編針ａのループを後側ニードルベッドＢの編針ａに目移しし前側ニードルベッドＦの編針ｂ，ｃに掛止したループを、それぞれ左隣の編針ａ，ｂに目移しする。
この結果、図６のＳ２０２の欄の上部の（）内に示したように、ループが配置される。工程Ｓ２０２の目移しにより、前側ニードルベッドＦの編針ｚと後側ニードルベッドＢの編針ｃが空針となる。
尚、工程Ｓ２において、給糸方向を折り返す度に、給糸を行う有端環状の針列の端部から２針以上、給糸を行う編針を減じるようにしてもよい。
【００４０】
小工程Ｓ２０３では、工程Ｓ２０２でループが掛止された有端環状の針列（図１５（ａ）参照）の両端の編針から１針ずつ減らして、それに伴いコースＣ３の編目数が減少するのを補うために、当該有端環状の針列に給糸する編針を追加する。
本実施形態では、編糸が前側ニードルベッドＦから後ろ側のニードルベッドＢに渡る左右の渡り部Ｄ，Ｄのうち、右側の渡り部Ｄの右隣りに給糸する編針を前後で１針ずつ増やした針列に給糸を行う。
具体的には、小工程Ｓ２０３では、図６、図１５（ｂ）に示すように、前側ニードルベッドＦの、編針ｆと編針ｗへの給糸を中止する。こうすることで、小工程Ｓ２０１で編成されたコースＣ２のコース方向の両端のループ２ｂ，２ｂは、前側の編針ｆと編針ｗに掛止されたまま残る。また、このように、前のコースＣ２のループを掛止した有端環状の針列の両端の編針ｆと編針ｗへの給糸を中止することで、コースＣ３の編目数がコースＣ２より２目少なくなるが、これを補うために、図１５（ｂ）に示すように、小工程Ｓ２０３では、工程Ｓ２０１で編糸を給糸した有端環状の針列の右側の渡り部Ｄを構成する編針ａｂ，ａｂの右隣りとなる前側の編針ａｃと後側の編針ａｃにも給糸を行う。こうすることで、フット部２が後方に向かうにつれ編目数を減らして、履き口が足底まで広がってしまうことを防止できる。
尚、ここで、「編目数」とは、ニットループ、タックループ、ミスループ、及び透孔の数の合計をいうものとする。
【００４１】
また、上述したように、工程Ｓ２０３に先駆けて、工程Ｓ２０２で、前後の編針ａｂ，ａｂを含む複数の編針を目移ししたのは、工程Ｓ２０３で、新たに給糸を追加した前後の編針ａｃ，ａｃで形成されるループに小工程Ｓ２０１で前後の編針ａｂ，ａｂに形成されたループを連結し、工程Ｓ２０３で前後のａｃ，ａｃの位置に生じる２目続きの大きな透孔が生じることを回避して、代わりに１目分の小さな透孔を前側の編針ｃと前側の編針ｚの位置に設けるためである。
【００４２】
以下、図６から図９の小工程Ｓ２０４から小工程Ｓ２１４まで、小工程Ｓ２０１から小工程Ｓ２０３までと同様に横編機の操作を行う。この際、給糸する編針を、小工程Ｓ２０３と同様に、常に、右側の渡り部Ｄの右隣に追加する。（ただし、フットカバーの編成に影響のない程度に、時折、左側の渡り部Ｄに給糸する編針を追加したり、給糸する編針の追加を省略したりできることは、もちろんである。）こうすることで、いずれ、ループを掛止した有端環状の針列の両端の編針が、図９のＳ２１３、及び図１６（ａ）に示すように、後側の編針ａと前側の編針ａｃに移動し、前後のニードルベッドに分かれる。これにより、ニードルベッドの左側では、編糸が前後のニードルベッドを渡ることが無くなり、左側（図１の小指側）の側線７１は、ここで、フット部２のコース方向の端部２ａに達する。そして、これ以降、給糸を行う有端環状の針列は、図１６に示すようにＪ字状の針列となり、渡り部Ｄは右側のみとなる。
【００４３】
給糸を行う針列がＪ字状となったあとも、給糸を行う針列がＣ字状のときと同様に、前のコースで給糸した針列の両端の編針への給糸を止め、代わりに、当該針列の渡り部Ｄの右側に連続する前後の編針に給糸を追加する。
例えば、工程Ｓ２１５では、図９、図１６（ｂ）に示すように、工程Ｓ２１３で給糸を行った後側の編針ａ〜ａｈと、前側の編針ａｃ〜ａｈとからなるＪ字状の針列の両端となる後側の編針ａと前側の編針ａｃへの給糸を止め、工程Ｓ２１３で給糸を行った針列（図１６（ａ）参照）の渡り部Ｄの右隣の前後の編針ａｉ，ａｉを追加して、前側の編針ａｄ〜ａｉと、後側の編針ｂ〜ａｉに編糸を給糸する。
【００４４】
工程Ｓ２１４では、図９に示すように、工程Ｓ２１５に先駆けて、前側の編針ａｆ〜ａｈと、後側の編針ｄ〜ａｈに掛止されたループをそれぞれ右隣の編針に目移しする。これにより、工程Ｓ２１５で、前後の編針ａｉ，ａｉで形成されるループに小工程Ｓ２１３で前後の編針ａｈ，ａｈに形成されたループを連結し、工程Ｓ２１４で前後の編針ａｉ，ａｉの位置に生じる２目続きの大きな透孔が生じることを回避して、代わりに１目分の小さな透孔を後側の編針ｄと前側の編針ａｆの位置に設けるためである。
【００４５】
以下、図９、図１０に示したように、小工程Ｓ２１６からＳ２４８（Ｓ２１９〜Ｓ２４６（Ｃ１１〜Ｃ２４）は図示を省略）まで同様の編成を繰り返して、フット部２を編成する。
小工程Ｓ２４８まで、ニードルベッドの右側では、前後の編針間を編糸が渡るように給糸されるため、フットカバー１００の右側（親指側）の側線７２は、図１に示すように、フット部２を前後方向の全長にわたって通過する。
【００４６】
（中間周回部編成工程Ｓ３）
本実施形態では、図１０に示すように、フット部編成工程Ｓ２に続けて中間周回部編成工程Ｓ３を行う。工程Ｓ３は、小工程Ｓ３０１のみからなる。小工程Ｓ３０１では、５本胴部編成工程Ｓ１によりループが掛止されたままの前側の編針ｇ〜ｖと、フット部編成工程Ｓ２でフット部２のコース方向の両端部２ａ，２ａのループ２ｂが掛止されたままとなっている前側の編針ａ〜ｆ、前側の編針ｗ〜ａｔ、及び後側の編針ａ〜ｒとフット部の最も後側のコースＣ２５のループが掛止された、後側の編針ｓ〜ａｚ、及び前側の編針ａｕ〜ａｚとを合わせて、前側の編針ａｚ〜ａと後側のａ〜ａｚの全針に周回状に編糸を給糸して、天竺編のコースＣ２６を形成する。コースＣ２６が中間周回部４を構成する。中間周回部４のうち前側の編針ｇ〜ｖで編成された部分は、前側部分４１を構成し、５本胴部１２の甲側中央部１２ａに連結される。前側の編針ａ〜ｆ、及び後側の編針ａ〜ｒにより編成された部分は、左側（小指側）の側方部分４２を構成し、前側の編針ｗ〜ａｔにより編成された部分は、右側（親指側）の側方部分４２構成し、フット部の両端部２ａ，２ａに連結される。また、編針ｗ〜ａｔにより編成された部分は、後側部分４３を構成し、フット部２の後端縁２ｄのコースＣ２６に連結される。
上述したように、工程Ｓ１で甲側中央部１２ａのループを編針に掛止したまま、工程Ｓ２を実施し、かつ、工程Ｓ２では、フット部２のコース方向の両端部２ａ，２ａにおけるループを全て編針に残しながら、編成を行ったので、工程Ｓ３において、甲側中央部１２ａとフット部のコース方向の両端部２ａ，２ａとフット部の後端縁２ｄに沿って周回状に、中間周回部４を編成できる。
また、中間周回部編成工程Ｓ３を設けることで、編針に掛止されたままになっている５本胴部の甲側中央部のループや、フット部のコース方向両端部のループを編針から外して、下方に送ることができ、編地が、前後のニードルベッドに挟まることを抑制でき、また、ループが長時間編針に掛止されることにより損傷することを抑制できる。
【００４７】
（踵部編成工程Ｓ４）
本実施形態では、踵部編成工程Ｓ４は、中間周回部編成工程Ｓ３に続けて実施される。工程Ｓ４のうち、図１１に示した小工程Ｓ４０１から小工程Ｓ４０７において、膨出部下側部３１を編成し、図１２〜図１４に示した小工程Ｓ４０８から小工程Ｓ４１９において、膨出部上側部３２を編成する。このうち、小工程Ｓ４０８からＳ４１５で、ゴム無し部３３を編成し、小工程Ｓ４１６からＳ４１９で、締付部３４を編成する。
【００４８】
膨出部下側部３１を編成する小工程Ｓ４０１からＳ４０７では、図１１に示したように、コース方向の両端部となる編針で給糸方向を折返しながら、後の小工程で編成するコース程コース方向の編み幅を縮小するようにして編成を行い、給糸方向を折り返す編針でタックループ（△）を形成し、その他の編針では、ニットループ（○）を形成して、全コースを天竺編に編成する。小工程Ｓ４０１からＳ４０３は、前後のニードルベッドに亘るＪ字状の針列で編成を行うため、図１に示すように、膨出部下側部３１を親指側の側線７２が通過する。
【００４９】
膨出部上側部３２を編成する小工程Ｓ４０８からＳ４１９では、図１２〜図１４に示したように、コース方向の両端部となる編針で給糸方向を折返しながら、徐々に編成するコース程コース方向の編み幅を拡大するようにして編成を行う。給糸方向を折り返す編針でタックループ（△）を形成し、膨出部上側部３２の両端を膨出部下側部の両端に編み合わせる。膨出部上側部３２と膨出部下側部３１の両端を編合わせたラインがゴアライン３５である。その他の編針では、ニットループ（○）を形成し、全コースを天竺編に編成する。
このように、踵部３にゴアライン３５，３５を設けることで、踵部３の最終コースＣ４４を甲側中央部１２ａ、及びフット部２の両端部２ａ，２ａと共に履き口５の周縁に沿って並べることができるので、履き口周縁部６を履き口５の周縁に沿う周回状に編成することができる。
また、図１３、図１４に示すように、膨出部編成工程Ｓ４のうち、小工程Ｃ４１６〜Ｃ４１９では、天竺編の地組織にゴム糸を挿入編して、締付部３４を形成する。
【００５０】
（履き口周縁部編成工程Ｓ５）
図１４に示すように、踵部編成工程Ｓ４に続けて、履き口周縁部編成工程Ｓ５を実施する。工程Ｓ５では、中間周回部編成工程Ｓ３からループが掛止されたままの編針（前側の編針ａ〜ａｓ、及び後側の編針ａ〜ｑ）と、膨出部上側部の最後尾のコースＣ４４のループを掛止した編針（前側の編針ａｔ〜ａｚ、及び後側の編針ｒ〜ａｚ）を合わせて、前側の編針ｚａ〜ａ、及び後側の編針ａ〜ａｚの全針に周回状に地糸を給糸して天竺編組織を編成し、この天竺編の地組織の１コースあたりに３本のゴム糸を挿入して、天竺編部６２を編成する。
また、編成図は省略したが、天竺編部６２の編成に続けて、キャリア組Ａから地糸を、キャリアＧからゴム糸を、それぞれ周回状に給糸して、リブ編組織の地組織にゴム糸が挿入されたリブ編部６１を編成する。リブ編部６１の先端縁は、伏目処理を行う。
【００５１】
（その他の実施形態）
本発明に係るフットカバーは、上記の実施形態に限らず、例えば、中間周回部４は、図１８の第２実施形態のように省略してもよい。あるいは、中間周回部４の後側部分４３は、図１９の第３実施形態のように、フット部２の前後方向の途中部分を通してもよいし、図２０の第４実施形態のように、ゴアライン３５に沿って踵部３の膨出部下側部３１と膨出部上側部３２の境界を通るようにしてもよい。
【００５２】
また、フット部編成工程において、図１７に１点鎖線で示すように、Ｕ字状に編糸を給糸するようにしてもよい。例えば、図１７（ａ）において、前側の編針ｔから編針ａまでと、後側の編針ｔから編針ａまでに、矢印で示した順に編糸を給糸する。そして、図１７（ｂ）に示した次の小工程では、図１７（ａ）のＵ字の針列の両端を構成する前側の編針ａと後側の編針ａへの給糸を止めて、代わりに、給糸する針列に右側の渡り部Ｄの右隣の編針ｕ、ｕを追加して、前側の編針ｕからｂまでと、前側の編針ｕからｂまでのＵ字の針列に、図中の矢印に沿って編糸を給糸する。こうすることで、フット部の両端部のループを、フット部の編成が終わるまで編針に掛止したままにすることができる。この場合、編糸が前後のニードルベッドを渡った跡からなる側線は、甲側の左右方向の中央と、足底側の左右方向の中央を通るように形成される。
【００５３】
その他、本発明のフットカバーは、指袋を有さなくともよいし、ゴアラインは、いわゆるＹヒールのように、膨出部を２つ以上備えてもよい。履き口周縁部は、リブ編部、天竺編部の一方のみを設けるようにしてもよい。フット部等、締付部や履き口周縁部以外にゴム糸を設けることもできる。地糸やゴム糸に用いる糸は、上記の実施例に用いた糸に限らず、本発明の趣旨を逸脱しない範囲で公知の糸を適宜に用いることができる。
【符号の説明】
【００５４】
１００  フットカバー
１  つま先部
１２  ５本胴部
１２ａ  甲側中央部
１２ｂ  有端環状部
２  フット部
２ａ  コース方向の両端部
２ｃ  透孔
２ｄ  後端縁
２ｅ  増し目
３  踵部
３４  締付部
３５  ゴアライン
４  中間周回部
４１  前側部分
４２  側方部分
４３  後側部分
５  履き口
６  履き口周縁部
７１  一方の側線
７２  他方の側線
【図１】
2018111899.tif 000003
【図２】
2018111899.tif 000004
【図３】
2018111899.tif 000005
【図４】
2018111899.tif 000006
【図５】
2018111899.tif 000007
【図６】
2018111899.tif 000008
【図７】
2018111899.tif 000009
【図８】
2018111899.tif 000010
【図９】
2018111899.tif 000011
【図１０】
2018111899.tif 000012
【図１１】
2018111899.tif 000013
【図１２】
2018111899.tif 000014
【図１３】
2018111899.tif 000015
【図１４】
2018111899.tif 000016
【図１５】
2018111899.tif 000017
【図１６】
2018111899.tif 000018
【図１７】
2018111899.tif 000019
【図１８】
2018111899.tif 000020
【図１９】
2018111899.tif 000021
【図２０】
2018111899.tif 000022
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
前端側のつま先部と、後端側の踵部と、前記つま先部、及び前記踵部の間のフット部と、前記フット部から前記踵部に跨って甲側に開口する履き口とを備え、前記つま先部が、後端縁に甲側から足底側に亘って周回状に編成された５本胴部を有し、前記踵部が、両側に一又は複数本ずつのゴアラインを有するフットカバーを、前後のニードルベッドが左右方向に相対的にラッキング可能に、かつ前後のニードルベッドの編針間で互いに目移し可能な横編み機を用いて編成するフットカバーの編成方法であって、
前後のニードルベッドの編針に周回状に編糸を給糸して、５本胴部を編成する５本胴部編成工程と、
前記５本胴部編成工程に続けて、５本胴部の最終コースのループを前後のニードルベッドの編針に周回状に掛止した状態で、前記５本胴部の最終コースの甲側中央部を除いた有端環状部のループを掛止した有端環状の針列に給糸し、以後前記有端環状の針列の両端で給糸方向を折り返すように、かつ、給糸方向を折り返す度に、前記有端環状の針列の端から給糸する編針を一又は複数針減らすとともに、前記有端環状の針列へ一往復給糸する度に、前記有端環状の針列の左右の同じ側の渡り部に給糸する編針を一又は複数針追加しながら前記フット部を編成するフット部編成工程と、
前記フット部編成工程よりあとに、両側に一又は複数本ずつのゴアラインを設けながら踵部を編成する踵部編成工程と、
前記踵部編成工程の後、編針に掛止されたままループの残っている編針に、周回状に編糸を給糸して履き口周縁部を編成する履き口周縁部編成工程と
を有することを特徴とするフットカバーの編成方法。
【請求項２】
前記フット部編成工程は、前記有端環状の針列の両端が、共に前後のニードルベッドの一方のニードルベッドに存する状態で開始され、前後のニードルベッドに別れたあとも継続される請求項１に記載のフットカバーの編成方法。
【請求項３】
前記フット部編成工程の途中で、前記フット部編成工程と前記踵部編成工程の間で、又は前記踵部編成工程の途中で、給糸されたまま編針にループの残っている全編針に周回状に編糸を給糸して中間周回部を編成する中間周回部編成工程を有する請求項１又は請求項２に記載のフットカバーの編成方法。
【請求項４】
前記フット部編成工程において、前記渡り部に給糸する編針を一又は複数針追加するに先駆けて、当該追加する編針に隣接する編針からループを目移しする請求項１から請求項３のいずれか１項に記載のフットカバーの編成方法。
【請求項５】
前端側のつま先部と、後端側の踵部と、前記つま先部、及び前記踵部の間のフット部と、前記フット部から前記踵部に跨って甲側に開口する履き口と、編糸が横編み機の前後のニードルベッドを渡った跡からなる１対の側線とを備え、前記つま先部が、後端縁に甲側から足底側に亘って周回状に編成された５本胴部を有し、前記踵部が、両側に一又は複数本ずつのゴアラインを有するフットカバーであって、
前記フット部は、前記５本胴部の甲側中央部を除いた有端環状部に連続するとともに、編糸が前記履き口をかわすようにコース方向の両端部で折り返す有端環状の編成組織を有し、当該両端部のループが、後側のコースほど前記履き口から遠ざかる方向のウエールに形成され、少なくとも一部のコースが、透孔、及び／又は増し目を有しており、
前記１対の側線の一方が前記フット部のコース方向の両端部と交差し、前記１対の側線の他方の側線が前記フット部の後端縁と交差するか、又は、前記一方の側線が甲側の左右方向の中央を通り、他方の側線が足底側の左右の中央を通っており、
前記履き口の周縁に、編糸が周回状に編成された履き口周縁部を備えることを特徴とするフットカバー。
【請求項６】
前記１対の側線の一方が前記フット部のコース方向の両端部と交差し、前記一対の側線の他方の側線が前記フット部の後端縁と交差する請求項５に記載のフットカバー。
【請求項７】
前記透孔が、ライン状に並ぶ請求項５又は請求項６に記載のフットカバー。
【請求項８】
前記履き口周縁部は、ゴム糸が挿入、及び／又は添え糸されている請求項５から請求項７のいずれか１項に記載のフットカバー。
【請求項９】
前記踵部は、左右のゴアラインでコース方向に折り返しながら、ゴム糸が挿入、及び／又は添え糸された締付部を備える請求項５から請求項８のいずれか１項に記載のフットカバー。
【手続補正２】
【補正対象書類名】明細書
【補正対象項目名】００１４
【補正方法】変更
【補正の内容】
【００１４】
本発明は、前端側のつま先部と、後端側の踵部と、前記つま先部、及び前記踵部の間のフット部と、前記フット部から前記踵部に跨って甲側に開口する履き口と、編糸が横編み機の前後のニードルベッドを渡った跡からなる１対の側線とを備え、前記つま先部が、後端縁に甲側から足底側に亘って周回状に編成された５本胴部を有し、前記踵部が、両側に一又は複数本ずつのゴアラインを有し、前記フット部は、前記５本胴部の甲側中央部を除いた有端環状部に連続するとともに、編糸が前記履き口をかわすようにコース方向の両端部で折り返す有端環状の編成組織を有し、当該両端部のループが、後側のコースほど前記履き口から遠ざかる方向のウエールに形成され、少なくとも一部のコースが、透孔、及び／又は増し目を有しており、前記１対の側線の一方が前記フット部のコース方向の両端部と交差し、前記１対の側線の他方の側線が前記フット部の後端縁と交差するか、又は、前記一方の側線が甲側の左右方向の中央を通り、他方の側線が足底側の左右の中央を通っており、前記履き口の周縁に、編糸が周回状に編成された履き口周縁部を備えることを特徴とするフットカバーを含む。
尚、ここで、「コース方向」とは、編糸が延びる方向をいい、「ウエール」とは、コー
ス方向に垂直に編目が並んだ列をいうものとする。